(57)【要約】      （修正有） 【課題】冷蔵庫等の保管時に場所をとることを解決する飲料サーバーを提供する。【解決手段】スタンド部分を枠体組み立て方式にしたことにより、かさばらず携帯に便利である。また、抽出レバー、抽出レバーストッパー、取り付けレバーの枠組み、抽出レバーストッパー止め、空気穴チューブ、取り付けレバーを一体化させた専用キャップを直接、ボトル飲料注ぎ口に装着させる簡単な形状にしている為、冷蔵庫等の保管時に通常のボトルキャップとほぼ変わらない形状を実現しこれにより課題を解決する。【選択図】図１
0003153303.tif 000002
【実用新案登録請求の範囲】
【請求項１】
上部の開口から上下逆さまにボトル飲料を押し込んで、ボトル飲料を倒立させた状態に保持する組み立て式の枠体であって、前記枠体の下端部を４方面にスリット溝が設けられた枠体差し込みストッパーのスリット溝に挿入させて立設される４枚の枠体と前記４枚の枠体の上端部に嵌合させて枠体を固定するための外周辺部の裏面に枠体上部固定はめ込み用溝を設けた４角形の枠体固定ストッパーからなる組み立て式枠体であり、前記４枚の枠体のうち前面部枠体の中心から下にかけ、長方形のコップ挿入口が設けられており、また右側面部枠板の中心にボトルストッパー差し込み口下部とその少し上にボトルストッパー差し込み口上部の穴が設けられており、そのボトルストッパー差し込み口下部に長方形の中心部にボトル飲料の首元のサイズと同じ穴があいてあり、ボトルストッパー下部を前面部枠板の内側に設けられたボトルストッパー台と後面部枠板に設けられたボトルストッパー台の上に乗せる事により上下逆さまに押し込まれたボトル飲料が下まで落ちなくすることが可能となっているボトル飲料用注出枠体。
【請求項２】
栓体が導水管体の内部に挿入された状態で、前記を外枠の内部に栓体の栓体注出レバーが外枠の導水管体挿入口から出るように装着され、また導水管体排出口から導水管体注出口が出るように挿入されてあり、ボトル飲料の口に外枠が装着可能できるための接続部が設けられ、栓体注出レバーを回転させることにより、栓体空気導入口から空気導入管に装着された空気穴チューブよりボトル飲料内に空気が送られ、栓体軸にある栓体注出口からボトル飲料内の飲料を注出可能としているボトル用レバーキャップ。
【考案の詳細な説明】
【技術分野】
【０００１】
本考案は、ボトル飲料を容易にそそぐ事を可能にするボトル飲料用注出枠体とそれに用いるボトル用レバーキャップに関するものである。  
【背景技術】
【０００２】
従来、エルボの一端部にペットボトルの口部を捩じ込み、エルボの他端部にコックを取付け、ペットボトルを上下逆さまにしてエルボの軸部をスタンドの縦穴に上方より差し込み、エルボの当接部をスタンドの受座部に当接させることにより、ペットボトルを簡便にセットすることができ、しかもペットボトルの形状や大きさに係わらず垂直な逆立ち状態で安定して保持できるボトル飲料用注出枠体がある。飲料を飲み残したときは、ペットボトルをスタンドから上方に引き抜き、エルボとコックを付けたまま冷蔵庫で保管することができ、スタンドにコックを受けるコック受け部を有していることで、ペットボトルの支持の安定性がより一層高められる飲料サーバーと記載されている。
また、コックを開いて飲料を注出するときに、コックの空気孔から空気導入管を通ってペットボトル内に空気が流れ込むので、コックの注出口から飲料を脈動することなくスムーズに注出することができ、また、空気導入管の先端部に逆止弁を備えているので、空気導入管内に飲料が流入することがなく、コックの空気孔から飲料が漏れることがない飲料サーバーと記載されている。（特許文献1参照）
【先行技術文献】
【特許文献】
【０００３】
【特許文献１】実登３１３９０６６号公報
【考案の概要】
【考案が解決しようとする課題】
【０００４】
本考案は、上記した先行技術のスタンド部分が円形筒型の為、かさばり携帯に不便であること。
また、エルボがコック部分と一体となっている為、冷蔵庫等の保管時に場所をとることを解決する飲料サーバーの提供を目的とする。                                        
【課題を解決するための手段】
【０００５】
本考案は、スタンド部分を枠体組み立て方式にしたことにより、かさばらず携帯に便利ある。また、栓体、栓体注出レバー、注出レバーストッパー、導水管体、注出レバーストッパー止め空気穴チューブ、外枠を一体化させたボトル用レバーキャップを直接、ボトル飲料注ぎ口に装着させる簡単な形状にしている為、冷蔵庫等の保管時に通常のボトルキャップとほぼ変わらない形状を実現しこれにより上記課題を解決するものである。          
【考案の効果】
【０００６】
本考案はスタンド部分を枠体組み立て方式にしたことにより、かさばらず携帯時や未使用時の保管に便利であり、ボトル用レバーキャップを栓体、栓体注出レバー、注出レバーストッパー、導水管体、抽出レバーストッパー止め、空気穴チューブ、外枠を一体化させた事により小型化し、直接、ボトル飲料注ぎ口に装着させる事で、冷蔵庫等の保管時に通常のボトルキャップとほぼ変わらず収納、保管できるという利点がある。                        
【図面の簡単な説明】
【０００７】
【図１】は、本考案のボトル飲料用注出枠体１の実施形態を示す全体図である。
【図２】は、ボトル用注出枠体のパーツの一部の全面部枠体を示す図である。
【図３】は、ボトル用注出枠体のパーツの一部の全面部枠体の内部を示す図である。
【図４】は、ボトル用注出枠体のパーツの一部の右側面部枠体を示す図である。
【図５】は、ボトル用注出枠体のパーツの一部の右側面部枠体の内部を示す図である。
【図６】は、ボトル用注出枠体のパーツの一部の左側面部枠体を示す図である。
【図７】は、ボトル用注出枠体のパーツの一部の左側面部枠体の内部を示す図である。
【図８】は、ボトル用注出枠体のパーツの一部の後面部枠体を示す図である。
【図９】は、ボトル用注出枠体のパーツの一部の後面部枠体の内部を示す図である。
【図１０】は、ボトル用注出枠体のパーツの一部である枠体を差し込むための枠体差し込みストッパーを示す図である。
【図１１】は、ボトル用注出枠体のパーツの一部である枠体にはめ込むための枠体固定ストッパーを示す図である。
【図１２】は、図11の13の断面図である。
【図１３】は、ボトル用注出枠体のパーツの一部のであるボトル飲料の落下を防ぐためのボトルストッパー下部を示す図である
【図１４】は、図13で対応できないボトル飲料のサイズに対応できるボトルストッパー上部を示す図である。
【図１５】は、本考案のボトル用レバーキャップ２５の実施形態を示す断面図である。
【図１６】は、ボトル用レバーキャップのパーツの一部である栓体を示す図である。
【図１７】は、ボトル用レバーキャップのパーツの一部である導水管体を示す図である。
【図１８】は、ボトル用レバーキャップのパーツの一部である外枠を示す図である。
【図１９】は、ボトル用レバーキャップのパーツの一部である空気穴チューブを示す図である。
【考案を実施するための形態】
【０００８】
本考案の実施の形態を図面に基づいて説明する。図１は、本考案のボトル飲料用注出枠体１とボトル用レバーキャップ２５の実施形態を示す全体図であり、本ボトル飲料用注出枠体１は、ボトル飲料４４の口部にボトル用レバーキャップ２５を接続し、本ボトル飲料用注出枠体１に逆立ち状態で立たせて栓体注出口３０から飲料を注出するものである。
【０００９】
ボトル飲料用注出枠体１は上部の開口から上下逆さまにボトル飲料４４を押し込んで、ボトル飲料４４を倒立させた状態に保持する組み立て式の枠体である。
【００１０】
上記枠体の下端部を４方面にスリット溝が設けられた枠体差し込みストッパー７のスリット溝にある、前面部枠体下部差し仕込み用溝８に前面部枠体２の下部を、右側面部枠体下部差し込み用溝９に右側面部枠体３の下部を差し込む。
また、左側面部枠体下部差し込み用溝１０に左側面部枠体４の下部を、後面部枠体差し込み用溝１１に後面部枠体５の下部をそれぞれ挿入させて立設される４枚の枠体である。また、前面部枠体２、右側面部枠体３、左側面部枠体４、後面部枠体５はそれぞれ、プラスチック、枠体差し込みストッパー７、はプラスチックまたはシリコンゴムで形成されている。
【００１１】
上記４枚の枠体の上端部に嵌合させて枠体を固定するため、４角形の枠体固定ストッパー１２の裏面には枠体上部固定はめ込み用溝１４を設けてあり、前面部枠体上部固定はめ込み用溝１５に前面部枠体８の上部を、右側面部枠体上部固定はめ込み用溝１６に右側面部枠体９の上部を、左側面部上部固定はめ込み用溝１７に左側面部枠体１０の上部を、後面部枠体上部固定はめ込み用溝１８に後面部枠体１１の上部をそれぞれはめ込み固定される組み立て式枠体である、また枠体固定ストッパーはプラスチックまたはシリコンゴムで形成されている。
【００１２】
上記４枚の枠体のうち前面部枠体２の中心から下部に向かい、図１，２が示すように長方形のコップ挿入口６が設けられている。
【００１３】
また右側面部枠板３の中心にボトルストッパー差し込み口下部２３と、その少し上にボトルストッパー差し込み口上部２４の穴が設けられており、ボトルストッパー差し込み口下部２３に長方形の中心部にボトル飲料の首元のサイズと同じ穴があいてあるボトルストッパー下部１９を差し込み、前面部枠板２の内側に設けられたボトルストッパー台２１−Aと後面部枠板に設けられたボトルストッパー台２１−Bの上に乗せる事により上下逆さまに押し込まれたボトル飲料４４が下まで落ちなくすることが可能となっているボトル飲料用注出枠体。
また、ボトルストッパー、ボトルストッパー台はそれぞれプラスチックで形成されている。
【００１４】
ボトル用レバーキャップ２５は図１５に示すように、栓体２６が導水管体３３の内部に挿入された状態であり、また前期を外枠３９の内部に栓体２６の栓体注出レバー２７が外枠３９の導水管体挿入口４０から出るように、また導水管体排出口４１から導水管体注出口３６がでるように挿入された状態である。
また、栓体、導水管体、外枠はそれぞれプラスチックやシリコンゴムで形成させている。
【００１５】
図１５、１８に示すようにボトル飲料の口に外枠３９が装着可能できるための接続部４２が設けられてあり、栓体注出レバー２７を回転させることにより、栓体空気導入口３１から空気導入管３５に装着された空気穴チューブ４３よりボトル飲料４４内に空気が送られ、栓体軸２９にある栓体注出口３０からボトル飲料内の飲料を注出可能としている、ボトル用レバーキャップ２５、また空気穴チューブは塩化ビニールで形成されている。
【符号の説明】
【００１６】
１    ボトル飲料抽出枠体  
２-A  前面部枠体  (外側から見た図）
２-B  前面部枠体  （内側から見た図）
３-A  右側面部枠体（外側から見た図）
３-B  右側面部枠体（内側から見た図）
４-A  左側面部枠体（外側から見た図）
４-B  左側面部枠体（内側から見た図）
５-A  後面部枠体  （外側から見た図）
５-B  後面部枠体  （内側から見た図）
６    コップ挿入口
７    枠体差し込みストッパー
８    前面部枠体下部差し込み用溝
９    右側面部枠体下部差し込み用溝
１０  左側面部枠体下部差し込み用溝
１１  後面部枠体下部差し込み用溝
１２  枠体固定ストッパー
１３  枠体固定ストッパー断面図
１４  枠体上部固定はめ込み用溝
１５  前面部枠板上部固定はめ込み用溝
１６  右側面部枠板上部固定はめ込み用溝
１７  左側面部枠板上部固定はめ込み用溝
１８  後面部枠板上部固定はめ込み用溝
１９  ボトルストッパー下部
２０  ボトルストッパー上部
２１−A  ボトルストッパー台下部
２１−B  ボトルストッパー台下部
２２−A  ボトルストッパー台上部
２２−B  ボトルストッパー台上部
２３  ボトルストッパー差し込み口下部
２４  ボトルストッパー差し込み口上部  
２５  ボトル用レバーキャップ
２６  栓体
２７  栓体注出レバー
２８  注出レバーストッパー
２９  栓体軸
３０  栓体注出口
３１  栓体空気導入口
３２  仕切り枠
３３  導水管体
３４  注出レバーストッパー止め
３５  空気導入管
３６  導水管体注出口
３７  導水管体空気導入口
３８  栓体挿入口
３９  外枠
４０  導水管体挿入口
４１  導水管体排出口
４２  接続部
４３  空気穴チューブ
４４  ボトル飲料
【図１】
0003153303.tif 000003
【図２】
0003153303.tif 000004
【図３】
0003153303.tif 000005
【図４】
0003153303.tif 000006
【図５】
0003153303.tif 000007
【図６】
0003153303.tif 000008
【図７】
0003153303.tif 000009
【図８】
0003153303.tif 000010
【図９】
0003153303.tif 000011
【図１０】
0003153303.tif 000012
【図１１】
0003153303.tif 000013
【図１２】
0003153303.tif 000014
【図１３】
0003153303.tif 000015
【図１４】
0003153303.tif 000016
【図１５】
0003153303.tif 000017
【図１６】
0003153303.tif 000018
【図１７】
0003153303.tif 000019
【図１８】
0003153303.tif 000020
【図１９】
0003153303.tif 000021
【手続補正書】
【提出日】平成21年6月29日(2009.6.29)
【手続補正１】
【補正対象書類名】実用新案登録請求の範囲
【補正対象項目名】全文
【補正方法】変更
【補正の内容】
【実用新案登録請求の範囲】
【請求項１】
ボトルを倒立させた状態に保持する組み立て式のボトル飲料用注出枠体において、枠体差し込みストッパー、枠体、枠体固定ストッパーを備え、前記枠体差し込みストッパーは４方面にスリット溝を有し４枚の前記枠体はその下端部が前記枠体差し込みストッパーのスリット溝に挿入し立設され、前記枠体固定ストッパーは裏面に４角形の枠体上部固定はめ込み用溝を有することにより前記枠体の上端部が嵌合されて、さらに前記４枚の枠体のうちボトル飲料用枠体の前面に位置する前面部枠体は中心部から下にかけて長方形のコップ挿入口を有し、前記４枚の枠体のうちボトル飲料枠体の右側面に位置する右側面部枠体は中心に第一開口を有し、前記第一開口からボトル飲料用枠体の内部にボトルストッパー下部が差し込まれ、前記ボトルストッパー下部は前記枠体の内側に設けられるボトルストッパー台に乗せられ、前記ボトルストッパー下部の中央にはボトルの首元と同サイズの穴が開口する事を特徴とするボトル飲料用注出枠体。
【請求項２】
前記ボトル飲料用注出枠体に上下逆さまに立設させた状態でボトル飲料を注出するために必要なボトル用レバーキャップであり、前記ボトル用レバーキャップはボトルの口の装着部に接続するための導水管体を有し、前記導水管体の内部にボトル飲料を排出するための導水管体注出口と前記ボトル内部に空気を導入するための導水管体空気導入口を有し、前記導水管体の内部には栓体注出レバーを回転させることにより栓体注出口と栓体空気導入口を有する栓体が回転する事によりボトル飲料を注出する事が出来るボトル用レバーキャップを備えている事を特徴とする請求項1記載のボトル飲料用注出枠体。